(57)【要約】【課題】発信者番号を変更可能にし、発信経路に対応した発信者番号の通知は勿論のこと、同発信経路に対応した発信者番号の発信動作も可能になる。【解決手段】ＴＥＬ２を収容接続すると共に、複数のＩＴＣ１３を収容接続する電話交換装置１であって、ＴＥＬ毎に複数のＩＴＣの発信ルートを管理すると共に、同発信ルートに対応した発信者番号を管理するＴＥＬ用発信テーブル２１と、複数のＩＴＣの内、任意の捕捉トランクを発信ルートとして選択する発信ルート選択部３４Ａと、発信ルートとして捕捉トランクを選択すると、同発信ルートに対応する発信者番号をＴＥＬ用発信テーブルから読み出し、この読み出した発信者番号を、同発信ルートの捕捉トランクを通じて通知する発信者番号通知部３４Ｂとを有している。【選択図】図２
2009111621.tif 000002
【特許請求の範囲】
【請求項１】
内線端末を収容接続すると共に、複数の通信経路を収容接続する電話交換装置であって、
前記通信経路毎に発信者情報を管理する発信者情報管理手段と、
前記複数の通信経路の内、任意の通信経路を発信経路として選択する発信経路選択手段と、
この発信経路選択手段にて前記発信経路として前記通信経路を選択すると、同通信経路に対応する発信者情報を前記発信者情報管理手段から読み出し、この読み出した発信者情報を、前記発信経路選択手段にて選択した通信経路を通じて通知する発信者情報通知手段とを有することを特徴とする電話交換装置。
【請求項２】
前記発信経路選択手段は、
前記内線端末の発信操作に応じて、前記複数の通信経路の内、任意の通信経路を前記発信経路として選択することを特徴とする請求項１記載の電話交換装置。
【請求項３】
前記発信経路選択手段は、
前記複数の通信経路の内、着信経路に応じて同着信を転送する前記通信経路を前記発信経路として選択することを特徴とする請求項１記載の電話交換装置。
【請求項４】
前記発信経路選択手段は、
前記内線端末の不在転送設定中に同内線端末の外線着信を不在転送する際、前記複数の通信経路の内、同内線端末の外線着信を不在転送する通信経路を前記発信経路として選択することを特徴とする請求項１記載の電話交換装置。
【請求項５】
前記発信者情報通知手段は、
前記発信経路選択手段にて前記発信経路として前記内線端末の外線着信を不在転送する通信経路を選択すると、同通信経路に対応する発信者情報を前記発信者情報管理手段から読み出し、この読み出した発信者情報に同内線端末の内線番号をサブアドレスとして付加し、このサブアドレスを付加した発信者情報を、前記発信経路選択手段にて選択した通信経路を通じて通知することを特徴とする請求項４記載の電話交換装置。
【発明の詳細な説明】
【技術分野】
【０００１】
本発明は、例えば内線端末の発信操作に応じて発信者番号等の発信者情報を着信相手先に通知する発信者番号通知機能を備えた電話交換装置に関する。
【背景技術】
【０００２】
従来、このような発信者番号通知機能を備えた電話交換装置においては、内線端末が相手先の電話番号へ発信操作した場合、この相手先の電話番号毎に、ＩＳＤＮ網から割り当てられた契約者番号の内、相手先に通知する発信者番号を選択可能にしたので、相手先の電話番号毎に、相手先に通知する発信者番号を変更可能にした技術が広く知られている（例えば特許文献１参照）。
【特許文献１】特開２０００−１８４４１４号公報（要約書及び図１参照）
【発明の開示】
【発明が解決しようとする課題】
【０００３】
しかしながら、上記特許文献１の電話交換装置によれば、内線端末が相手先の電話番号へ発信操作した場合、この相手先の電話番号毎に、ＩＳＤＮ網から割り当てられた契約者番号の内、相手先に通知する発信者番号を選択可能にしたが、同内線端末が相手先に発信する際の発信経路に関係なく、発信者番号を通知することになるため、例えば網側の仕様によっては、発信者番号が発信経路に対応した契約者番号でない場合、同発信者番号の通知の規制、さらには同発信者番号に基づく発信動作の規制が行われて、着信相手先に発信することができない虞がある。
【０００４】
本発明は上記点に鑑みてなされたものであり、その目的とするところは、発信経路毎に発信者番号を変更可能にし、同発信経路に対応した発信者番号の通知は勿論のこと、同発信経路に対応した発信者番号の発信動作も可能になる電話交換装置を提供することにある。
【課題を解決するための手段】
【０００５】
上記目的を達成するために本願請求項１記載の電話交換装置は、内線端末を収容接続すると共に、複数の通信経路を収容接続する電話交換装置であって、前記通信経路毎に発信者情報を管理する発信者情報管理手段と、前記複数の通信経路の内、任意の通信経路を発信経路として選択する発信経路選択手段と、この発信経路選択手段にて前記発信経路として前記通信経路を選択すると、同通信経路に対応する発信者情報を前記発信者情報管理手段から読み出し、この読み出した発信者情報を、前記発信経路選択手段にて選択した通信経路を通じて通知する発信者情報通知手段とを有するようにした。
【０００６】
従って、本願請求項１記載の電話交換装置によれば、前記通信経路毎に、例えば通信経路に対応した契約者番号の発信者情報を発信者情報管理手段に管理し、複数の通信経路の内、任意の通信経路を発信経路として選択すると、同通信経路に対応する発信者情報を発信者情報管理手段から読み出し、この読み出した発信者情報を、選択した発信経路を通じて通知するようにしたので、発信経路を選択可能にすることで発信者情報を変更可能にし、発信経路に対応した発信者情報でないことによる、例えば発信者番号通知の規制、さらには発信者番号に基づく発信規制を回避し、同発信経路に対応した発信者情報の発信動作が可能になる。
【０００７】
また、本願請求項２記載の電話交換装置は、本願請求項１記載の構成において、前記発信経路選択手段は、前記内線端末の発信操作に応じて、前記複数の通信経路の内、任意の通信経路を前記発信経路として選択するようにした。
【０００８】
従って、本願請求項２記載の電話交換装置によれば、本願請求項１記載の効果に加えて、前記内線端末の発信操作に応じて、前記複数の通信経路の内、任意の通信経路を前記発信経路として選択するようにしたので、内線端末の発信操作に応じて、任意の通信経路を選択することで発信経路を変更し、その結果、この発信経路に対応した着信先への発信者情報を変更することができる。
【０００９】
また、本願請求項３記載の電話交換装置は、本願請求項１記載の構成において、前記発信経路選択手段は、前記複数の通信経路の内、着信経路に応じて同着信を転送する前記通信経路を前記発信経路として選択するようにした。
【００１０】
従って、本願請求項３記載の電話交換装置によれば、本願請求項１記載の効果に加えて、前記複数の通信経路の内、着信経路に応じて同着信を転送する前記通信経路を発信経路として選択するようにしたので、外線着信の着信経路に応じて同外線着信を転送する発信経路を選択し、この発信経路に対応した着信先への発信者情報を変更することができる。
【００１１】
また、本願請求項４記載の電話交換装置は、本願請求項１記載の構成において、前記発信経路選択手段は、前記内線端末の不在転送設定中に同内線端末の外線着信を不在転送する際、前記複数の通信経路の内、同内線端末の外線着信を不在転送する通信経路を前記発信経路として選択するようにした。
【００１２】
従って、本願請求項４記載の電話交換装置は、本願請求項１記載の効果に加えて、前記内線端末の不在転送設定中に同内線端末の外線着信を不在転送する際、前記複数の通信経路の内、同内線端末の外線着信を不在転送する通信経路を前記発信経路として選択するようにしたので、内線端末の不在設定中に同内線端末の外線着信を転送する場合でも、同内線端末の外線着信を不在転送する通信経路を選択することで発信経路を変更し、その結果、この発信経路に対応した着信先への発信者情報を変更することができる。
【００１３】
また、本願請求項５記載の電話交換装置は、本願請求項４記載の構成において、前記発信者情報通知手段は、前記発信経路選択手段にて前記発信経路として前記内線端末の外線着信を不在転送する通信経路を選択すると、同通信経路に対応する発信者情報を前記発信者情報管理手段から読み出し、この読み出した発信者情報に同内線端末の内線番号をサブアドレスとして付加し、このサブアドレスを付加した発信者情報を、前記発信経路選択手段にて選択した通信経路を通じて通知するようにした。
【００１４】
従って、本願請求項５記載の電話交換装置によれば、本願請求項４記載の効果に加えて、前記発信経路として前記内線端末の外線着信を不在転送する通信経路を選択すると、同通信経路に対応する発信者情報を前記発信者情報管理手段から読み出し、この読み出した発信者情報に同内線端末の内線番号をサブアドレスとして付加し、このサブアドレスを付加した発信者情報を、前記発信経路選択手段にて選択した通信経路を通じて通知するようにしたので、着信先側では、発信者情報に付加したサブアドレスに基づき、転送元の内線端末の内線番号を認識することができる。
【発明の効果】
【００１５】
上記のように構成された本発明の電話交換装置によれば、前記通信経路毎に、例えば通信経路に対応した契約者番号の発信者情報を発信者情報管理手段に管理し、複数の通信経路の内、任意の通信経路を発信経路として選択すると、同通信経路に対応する発信者情報を発信者情報管理手段から読み出し、この読み出した発信者情報を、選択した発信経路を通じて通知するようにしたので、発信経路を選択可能にすることで発信者情報を変更可能にし、発信経路に対応した発信者情報でないことによる、例えば発信者番号通知の規制、さらには発信者番号に基づく発信規制を回避し、同発信経路に対応した発信者情報の発信動作が可能になる。
【発明を実施するための最良の形態】
【００１６】
以下、図面に基づいて本発明の実施の形態を示す電話交換装置について説明する。図１は本実施の形態を示す電話交換装置内部の概略構成を示すブロック図である。
【００１７】
図１に示す電話交換装置１は、複数の内線電話機（以下、単にＴＥＬと称する）２を収容接続する複数の内線インタフェース（以下、単にＤＬＩＮと称する）１１と、アナログ局線網３との通信インタフェースを司るアナログ局線トランク（以下、単にＣＯＴと称する）１２と、ＩＳＤＮ局線網４との通信インタフェースを司るＩＳＤＮ局線トランク（以下、単にＩＴＣと称する）１３と、ＩＴＣ１３を通じてＩＰ電話網５との通信インタフェースを司るゲートウェイ（以下、単にＧＷと称する）１４と、これらＤＬＩＮ１１、ＣＯＴ１２及びＩＴＣ１３間の通話路を形成する通話路スイッチ（以下、単にＴＳＷと称する）１５と、この電話交換装置１に関わる局プログラム及び局データ等の各種情報を記憶管理する記憶装置（以下、単にＭＭと称する）１６と、この電話交換装置１全体を制御する制御装置（以下、単にＣＣと称する）１７とを有している。
【００１８】
ＤＬＩＮ１１は、複数のＤＬＩＮ回路を内蔵し、同ＤＬＩＮ回路にて複数のＴＥＬ２を収容接続すると共に、同ＤＬＩＮ回路毎に内線番号が付与されている。
【００１９】
ＴＥＬ２は、例えば複数の内線番号の内、任意の内線番号毎に発着信ボタンを備え、この発着信ボタンは、同内線番号への外線着信、すなわちボタン着信に応答可能とし、同内線番号を使用して発信可能にするものである。
【００２０】
ＧＷ１４は、ＩＴＣ１３及びＩＰ電話網５間を伝送する音声データ等のＩＰパケット処理を実行するものである。
【００２１】
図２は電話交換装置１内部の要部であるＭＭ１６及びＣＣ１７内部の概略構成を示すブロック図である。
【００２２】
図２に示すＭＭ１６は、ＣＯＴ１２及びＩＴＣ１３等のトランクやＴＥＬ２毎に発信ルートを管理する発信ルート管理テーブル２０を記憶し、発信ルート管理テーブル２０は、ＴＥＬ２毎に発信ルート及び発信者番号を管理するＴＥＬ用発信テーブル２１（図３参照）と、ＣＯＴ１２及びＩＴＣ１３等のトランク（発信ルート及び着信ルート）毎に発信者番号を管理するトランク対応発信者番号テーブル２２（図４参照）と、着信ルート毎に着信転送の発信ルート及び発信者番号を管理するトランク用発信テーブル２３（図５参照）とを管理している。
【００２３】
図３に示すＴＥＬ用発信テーブル２１は、ＴＥＬ２を識別する端末番号２１Ａと、同端末番号２１Ａ毎に、最大４個の発信ルートに相当するトランクを識別する発信ルート番号２１Ｂと、同発信ルートのトランクで識別する発信者番号の通知の可否を示す発信者番号通知フラグ２１Ｃと、同発信ルートのトランクで使用する発信者番号２１Ｄとを管理し、例えば端末番号“ＴＥＬ００１”に対応する発信ルート番号“ＩＴＣ０１”では、発信者番号通知フラグが“可”、発信者番号が“０２−０００−１０００”ということになる。
【００２４】
図４に示すトランク対応発信者番号テーブル２２は、トランク（発信ルート及び着信ルート）毎に同トランクを識別するルート番号２２Ａと、同トランクの発信者番号２２Ｂとを管理している。
【００２５】
図５に示すトランク用発信テーブル２３は、外線着信を転送する着信ルートに相当するトランクを識別する着信ルート番号２３Ａと、同着信ルート番号２３Ａ毎に、最大４個の転送先への発信ルートに相当するトランクを識別する発信ルート番号２３Ｂと、同発信ルートのトランクで識別する発信者番号通知の可否を示す発信者番号通知フラグ２３Ｃと、同発信ルートのトランクで使用する発信者番号２３Ｄとを管理し、例えば着信ルート番号“ＩＴＣ０２”に対応する発信ルート番号“ＩＴＣ０３”では、発信者番号通知フラグが“可”、発信者番号が“０２−０００−３０００”ということになる。
【００２６】
ＣＣ１７は、ＤＬＩＮ１１を通じてＴＥＬ２内の機能ボタン及びＬＥＤを監視制御する内線監視制御部３１と、ＴＳＷ１５を通じてＤＬＩＮ１１、ＣＯＴ１２及びＩＴＣ１３を通信制御する通信制御部３２と、ＭＭ１６を記憶制御する記憶制御部３３と、このＣＣ１７全体を制御する制御部３４とを有している。
【００２７】
制御部３４は、発信ルート管理テーブル２０のテーブル内容に基づき、発信側ＴＥＬ２又は着信トランクに対応した発信ルート（発信ルート番号）の捕捉トランクを選択する発信ルート選択部３４Ａと、発信ルート管理テーブル２０のテーブル内容に基づき、発信ルート選択部３４Ａにて選択した発信ルート（発信ルート番号）に対応した発信者番号を読み出し、この発信者番号を、発信側のＴＥＬ２又は着信トランクの発信者番号として、捕捉トランクを通じて通知する発信者番号通知部３４Ｂと、不在転送設定中のＴＥＬ２の場合、同不在転送設定中のＴＥＬ２への外線着信を検出すると、同ＴＥＬ２の内線番号をサブアドレス、又は同外線着信を検出した着信トランクのサブアドレスを発信者番号に付加するサブアドレス付加部３４Ｃとを有している。
【００２８】
発信ルート選択部３４Ａは、発信側ＴＥＬ２の外線発信の場合、発信側ＴＥＬ２の発信操作（トランク選択操作＋相手先番号操作）を検出すると、トランク選択操作に対応した発信ルートの捕捉トランクを選択するものである。
【００２９】
さらに、発信ルート選択部３４Ａは、捕捉トランクを選択すると、この捕捉トランクのルート番号を検出し、図３に示すＴＥＬ用発信テーブル２１のテーブル内容に基づき、捕捉トランクのルート番号が発信側ＴＥＬ２の端末番号２１Ａに対応した発信ルート番号２１Ｂ内にあるか否かを判定し、同捕捉トランクのルート番号が発信側ＴＥＬ２の端末番号２１Ａに対応した発信ルート番号２１Ｂ内にある場合、捕捉トランクが発信側ＴＥＬ対応の発信ルートと判断すると共に、同捕捉トランクのルート番号が発信側ＴＥＬ２の端末番号２１Ａに対応した発信ルート番号２１Ｂ内にない場合、捕捉トランクが発信側ＴＥＬ対応の発信ルートでないと判断するものである。
【００３０】
発信者番号通知部３４Ｂは、発信ルート選択部３４Ａにて捕捉トランクが発信側ＴＥＬ対応の発信ルートと判断された場合、図３に示すＴＥＬ用発信テーブル２１のテーブル内容に基づき、同捕捉トランクのルート番号に相当する発信ルート番号２１Ｂに対応した発信者番号２１Ｄを読み出し、この発信者番号２１Ｄを、捕捉トランクを通じて相手先に通知するものである。尚、捕捉トランクの発信ルート番号２１Ｂに対応した発信者番号通知フラグ２１Ｃが“可”の場合、相手先に発信者番号を通知、発信者番号通知フラグ２１Ｃが“不可”の場合、相手先への発信者番号の通知を禁止するものである。
【００３１】
また、発信者番号通知部３４Ｂは、発信ルート選択部３４Ａにて捕捉トランクが発信側ＴＥＬ対応の発信ルートでないと判断された場合、図４に示すトランク対応発信者番号テーブル２２のテーブル内容に基づき、同捕捉トランクのルート番号２２Ａに対応した発信者番号２２Ｂを読み出し、この発信者番号２２Ｂを、捕捉トランクを通じて相手先に通知するものである。
【００３２】
また、発信ルート選択部３４Ａは、トランクの着信転送の場合、トランクへの着信を検出すると、複数のトランクの内、任意のトランクを着信転送の捕捉トランクとして選択するものである。尚、着信転送のトランクを選択する方法としては、着信トランクに対応した最大４個のトランクの内、任意のトランクを着信転送の捕捉トランクとして選択する方法と、着信トランク側で検出した着信の発信者番号に応じて任意のトランクを着信転送の捕捉トランクとして選択する方法と、着信トランク側で検出した着信の相手先発信者番号に応じて任意のトランクを着信転送の捕捉トランクとして選択する方法等がある。
【００３３】
さらに発信ルート選択部３４Ａは、着信転送の捕捉トランクを選択すると、この捕捉トランクのルート番号を検出し、図５に示すトランク用発信テーブル２３のテーブル内容に基づき、捕捉トランクのルート番号が着信トランクの着信ルート番号２３Ａに対応した発信ルート番号２３Ｂ内にあるか否かを判定し、同捕捉トランクのルート番号が着信トランクの着信ルート番号２３Ａに対応した発信ルート番号２３Ｂ内にある場合、捕捉トランクが着信ルート対応の発信ルートと判断すると共に、捕捉トランクのルート番号が着信トランクの着信ルート番号２３Ａに対応した発信ルート番号２３Ｂ内にない場合、捕捉トランクが着信ルート対応の発信ルートでないと判断するものである。
【００３４】
発信者番号通知部３４Ｂは、発信ルート選択部３４Ａにて捕捉トランクが着信ルート対応の発信ルートと判断された場合、図５に示すトランク用発信テーブル２３のテーブル内容に基づき、同捕捉トランクのルート番号に相当する発信ルート番号２３Ｂに対応した発信者番号２３Ｄを読み出し、この発信者番号２３Ｄを、捕捉トランクを通じて相手先に通知するものである。尚、捕捉トランクの発信ルート番号２３Ｂに対応した発信者番号通知フラグ２３Ｃが“可”の場合、相手先に発信者番号を通知、発信者番号通知フラグ２３Ｃが“不可”の場合、相手先への発信者番号の通知を禁止するものである。
【００３５】
また、発信者番号通知部３４Ｂは、発信ルート選択部３４Ａにて捕捉トランクが着信ルート対応の発信ルートでないと判断された場合、図４に示すトランク対応発信者番号テーブル２２のテーブル内容に基づき、同捕捉トランクのルート番号２２Ａに対応した発信者番号２２Ｂを読み出し、この発信者番号２２Ｂを、捕捉トランクを通じて相手先に通知するものである。
【００３６】
また、発信ルート選択部３４Ａは、ＴＥＬ２側で不在転送を設定した場合、発信者番号通知条件を転送元ＴＥＬ対応又は着信ルート対応の何れか一方を予め設定しておくものである。
【００３７】
発信ルート選択部３４Ａは、ＴＥＬ２側の不在転送設定中にＴＥＬ２への外線着信を検出すると、発信者番号通知条件が転送元ＴＥＬ対応であるか否かを判定し、転送元ＴＥＬ対応の場合、同外線着信を転送する着信転送の捕捉トランクを選択するものである。
【００３８】
さらに発信ルート選択部３４Ａは、着信転送の捕捉トランクを選択すると、捕捉トランクのルート番号を検出し、図３に示すＴＥＬ用発信テーブル２１のテーブル内容に基づき、同捕捉トランクのルート番号が転送元ＴＥＬ２の端末番号２１Ａに対応した発信ルート番号２１Ｂ内にあるか否かを判定し、捕捉トランクのルート番号が転送元ＴＥＬ２の端末番号２１Ａに対応した発信ルート番号２１Ｂ内にある場合、同捕捉トランクは転送元ＴＥＬ対応の発信ルートと判断するものである。
【００３９】
発信者番号通知部３４Ｂは、同捕捉トランクが転送元ＴＥＬ対応の発信ルートと判断した場合、図３に示すＴＥＬ用発信テーブル２１のテーブル内容に基づき、同捕捉トランクのルート番号に相当する発信ルート番号２１Ｂに対応した発信者番号２１Ｄを読み出すと共に、サブアドレス付加部３４Ｃを通じて同転送元ＴＥＬ２の内線番号を発サブアドレスとして読み出し、発信者番号２１Ｄに発サブアドレスを付加して着信転送先に通知するものである。尚、捕捉トランクの発信ルート番号２１Ｂに対応した発信者番号通知フラグ２１Ｃが“可”の場合、相手先に発信者番号を通知、発信者番号通知フラグ２１Ｃが“不可”の場合、相手先への発信者番号の通知を禁止するものである。
【００４０】
また、発信者番号通知部３４Ｂは、同捕捉トランクが転送元ＴＥＬ対応の発信ルートでないと判断した場合、図４に示すトランク対応発信者番号テーブル２２のテーブル内容に基づき、同捕捉トランクのルート番号２２Ａに対応した発信者番号２２Ｂを読み出すと共に、サブアドレス付加部３４Ｃを通じて同転送元ＴＥＬ２の内線番号を発サブアドレスとして読み出し、発信者番号２２Ｂに発サブアドレスを付加して着信転送先に通知するものである。
【００４１】
また、発信ルート選択部３４Ａは、発信者番号通知条件が転送元ＴＥＬ対応でない場合、発信者番号通知条件が着信ルート対応と判断し、複数のトランクの内、任意のトランクを着信転送の捕捉トランクとして選択するものである。
【００４２】
さらに、発信ルート選択部３４Ａは、着信転送の捕捉トランクを選択すると、この捕捉トランクのルート番号を検出し、図５に示すトランク用発信テーブル２３のテーブル内容に基づき、捕捉トランクのルート番号が着信トランクの着信ルート番号２３Ａに対応した発信ルート番号２３Ｂ内にあるか否かを判定し、同捕捉トランクのルート番号が着信トランクの着信ルート番号２３Ａに対応した発信ルート番号２３Ｂ内にある場合、捕捉トランクが着信ルート対応の発信ルートと判断すると共に、捕捉トランクのルート番号が着信トランクの着信ルート番号２３Ａに対応した発信ルート番号２３Ｂ内にない場合、捕捉トランクが着信ルート対応の発信ルートでないと判断するものである。
【００４３】
発信者番号通知部３４Ｂは、発信ルート選択部３４Ａにて捕捉トランクが着信ルート対応の発信ルートと判断された場合、図５に示すトランク用発信テーブル２３のテーブル内容に基づき、同捕捉トランクのルート番号に相当する発信ルート番号２３Ｂに対応した発信者番号２３Ｄを読み出し、サブアドレス付加部３４Ｃを通じて同着信トランクの内線番号を発サブアドレスとして読み出し、発信者番号２３Ｄに発サブアドレスを付加して着信転送先に通知するものである。尚、捕捉トランクの発信ルート番号２３Ｂに対応した発信者番号通知フラグ２３Ｃが“可”の場合、相手先に発信者番号を通知、発信者番号通知フラグ２３Ｃが“不可”の場合、相手先への発信者番号の通知を禁止するものである。
【００４４】
また、発信者番号通知部３４Ｂは、発信ルート選択部３４Ａにて捕捉トランクが着信ルート対応の発信ルートでないと判断された場合、図４に示すトランク対応発信者番号テーブル２２のテーブル内容に基づき、同捕捉トランクのルート番号２２Ａに対応した発信者番号２２Ｂを読み出し、サブアドレス付加部３４Ｃを通じて同着信トランクの内線番号を発サブアドレスとして読み出し、発信者番号２２Ｂに発サブアドレスを付加して着信転送先に通知するものである。
【００４５】
尚、本願請求項記載の電話交換装置は電話交換装置１、内線端末はＴＥＬ２、通信経路はＣＯＴ１２やＩＴＣ１３、発信者情報管理手段は発信ルート管理テーブル２０、発信経路選択手段は発信ルート選択部３４Ａ、発信者情報通知手段は発信者番号通知部３４Ｂ及びサブアドレス付加部３４Ｃに相当するものである。
【００４６】
次に本実施の形態を示す電話交換装置１の動作について説明する。図６は内線ＴＥＬ用発信者番号通知処理に関わる電話交換装置１内部の動作を端的に示すブロック図、図７は内線ＴＥＬ用発信者番号通知処理に関わるＣＣ１７内部の処理動作を示すフローチャートである。
【００４７】
図６に示す内線ＴＥＬ用発信者番号通知処理は、内線ＴＥＬ２の発信操作に応じて複数のトランクの内、任意のトランクを選択し、同捕捉トランクに相当する発信ルートに対応した発信者番号を相手先に通知する処理である。
【００４８】
図７においてＣＣ１７内部の制御部３４は、内線監視制御部３１を通じて内線ＴＥＬ２の発信（捕捉トランク選択＋相手先番号）操作を検出したか否かを判定する（ステップＳ１１）。
【００４９】
制御部３４内部の発信ルート選択部３４Ａは、内線ＴＥＬ２の発信操作を検出すると、同捕捉トランクの選択操作に応じて捕捉トランクのルート番号を検出し（ステップＳ１２）、図３に示すＴＥＬ用発信テーブル２１のテーブル内容に基づき、捕捉トランクのルート番号が発信側の内線ＴＥＬ２の端末番号２１Ａに対応した発信ルート番号２１Ｂ内にあるか否かを判定する（ステップＳ１３）。
【００５０】
発信ルート選択部３４Ａは、捕捉トランクのルート番号が発信側の内線ＴＥＬ２の端末番号２１Ａに対応した発信ルート番号２１Ｂ内にある場合、捕捉トランクが発信側ＴＥＬ対応の発信ルートと判断する（ステップＳ１４）。
【００５１】
発信者番号通知部３４Ｂは、捕捉トランクが発信側ＴＥＬ対応の発信ルートの場合、捕捉トランクの発信ルート番号２１Ｂに対応した発信者番号２１ＤをＴＥＬ用発信テーブル２１から読み出し（ステップＳ１５）、この読み出した発信者番号２１Ｄを、捕捉トランクを通じて相手先に通知することで（ステップＳ１６）、この処理動作を終了する。尚、説明の便宜上、同捕捉トランクの発信ルート番号２１Ｂに対応する発信者番号通知フラグ２１Ｃは“可”に設定しているものとする。
【００５２】
また、制御部３４は、ステップＳ１１にて内線ＴＥＬ２側の発信操作を検出したのでなければ、この処理動作を終了する。
【００５３】
また、発信ルート選択部３４Ａは、ステップＳ１３にて捕捉トランクのルート番号が発信側ＴＥＬ２の端末番号２１Ａに対応した発信ルート番号２１Ｂ内にない場合、捕捉トランクが発信側ＴＥＬ対応の発信ルートではないと判断する（ステップＳ１７）。
【００５４】
発信者番号通知部３４Ｂは、捕捉トランクが発信側ＴＥＬ対応の発信ルートではない場合、捕捉トランクのルート番号２２Ａに対応した発信者番号２２Ｂをトランク対応発信者番号テーブル２２から読み出し（ステップＳ１８）、この読み出した発信者番号２２Ｂを、捕捉トランクを通じて相手先に通知すべく、ステップＳ１６に移行する。
【００５５】
図７に示す内線ＴＥＬ用発信者番号通知処理によれば、発信側ＴＥＬ２の発信操作に応じて複数のトランクの内、任意の発信ルートの捕捉トランクを選択し、捕捉トランクが発信側ＴＥＬ対応の発信ルートの場合、ＴＥＬ用発信テーブル２１のテーブル内容に基づき、捕捉トランクの発信ルート番号２１Ｂに対応した発信者番号２１Ｄを読み出し、この発信者番号２１Ｄを、捕捉トランクを通じて相手先に通知するようにしたので、発信側ＴＥＬ２に対応した捕捉トランクを選択可能にすることで、発信者番号を変更可能にし、捕捉トランクに対応した発信者番号でないことによる、例えば発信者番号通知の規制、さらには発信者番号に基づく発信規制を回避し、同捕捉トランクに対応した発信者番号の発信動作が可能になると共に、発信側ＴＥＬ２の発信操作に応じて、発信側ＴＥＬ２に対応した捕捉トランクの発信ルートを選択し、この発信ルートに対応した着信先への発信者番号を変更することができる。
【００５６】
内線ＴＥＬ用発信者番号通知処理によれば、発信側ＴＥＬ２の発信操作に応じて複数のトランクの内、任意の発信ルートの捕捉トランクを選択し、捕捉トランクが発信側ＴＥＬ対応の発信ルートでない場合、トランク対応発信者番号テーブル２２のテーブル内容に基づき、捕捉トランクのルート番号２２Ａに対応した発信者番号２２Ｂを読み出し、この発信者番号２２Ｂを、捕捉トランクを通じて相手先に通知するようにしたので、発信側ＴＥＬ２に関係なく、捕捉トランクを選択に可能にすることで、発信者番号を変更可能にし、捕捉トランクに対応した発信者番号でないことによる、例えば発信者番号通知の規制、さらには発信者番号に基づく発信規制を回避し、同捕捉トランクに対応した発信者番号の発信動作が可能になると共に、発信側ＴＥＬ２の発信操作に応じて、発信側ＴＥＬ２に関係なく、捕捉トランクの発信ルートを選択し、この発信ルートに対応した着信先への発信者番号を変更することができる。
【００５７】
次に図８は着信転送用発信者番号通知処理に関わる電話交換装置１内部の動作を端的に示すブロック図、図９は着信転送用発信者番号通知処理に関わるＣＣ１７内部の処理動作を示すフローチャートである。
【００５８】
図８に示す着信転送用発信者番号通知処理は、着信転送設定中の着信トランク側で外線着信を検出すると、複数のトランクの内、捕捉トランクを選択し、同捕捉トランクに対応した発信者番号を着信転送先に通知する処理である。
【００５９】
図９においてＣＣ１７内部の制御部３４は、通信制御部３２を通じて着信転送設定中の着信トランクへの外線着信を検出したか否かを判定する（ステップＳ２１）。
【００６０】
制御部３４内の発信ルート選択部３４Ａは、着信転送設定中のトランクへの外線着信を検出した場合、複数のトランクの内、着信転送のトランクを捕捉トランクとして選択する（ステップＳ２２）。
【００６１】
発信ルート選択部３４Ａは、着信転送の捕捉トランクを選択すると、この捕捉トランクのルート番号を検出し（ステップＳ２３）、図５に示すトランク用発信テーブル２３のテーブル内容に基づき、捕捉トランクのルート番号が着信トランクの着信ルート番号２３Ａに対応した発信ルート番号２３Ｂ内にあるか否かを判定する（ステップＳ２４）。
【００６２】
発信ルート選択部３４Ａは、捕捉トランクのルート番号が着信トランクの着信ルート番号２３Ａに対応した発信ルート番号２３Ｂ内にある場合、捕捉トランクが着信ルート対応の発信ルートと判断する（ステップＳ２５）。
【００６３】
発信者番号通知部３４Ｂは、捕捉トランクが着信ルート対応の発信ルートの場合、捕捉トランクの発信ルート番号２３Ｂに対応した発信者番号２３Ｄをトランク用発信テーブル２３から読み出し（ステップＳ２６）、この読み出した発信者番号２３Ｄを、捕捉トランクを通じて着信転送先に通知することで（ステップＳ２７）、この処理動作を終了する。尚、説明の便宜上、捕捉トランクの発信ルート番号２３Ｂに対応した発信者番号通知フラグ２３Ｃは“可”に設定しているものとする。
【００６４】
また、制御部３４は、ステップＳ２１にて着信転送設定中のトランクへの外線着信を検出したのでない場合、この処理動作を終了する。
【００６５】
また、発信ルート選択部３４Ａは、ステップＳ２４にて捕捉トランクのルート番号が着信トランクの着信ルート番号２３Ａに対応した発信ルート番号２３Ｂ内にない場合、捕捉トランクが着信ルート対応の発信ルートでないと判断する（ステップＳ２８）。
【００６６】
発信者番号通知部３４Ｂは、捕捉トランクが着信ルート対応の発信ルートでない場合、捕捉トランクのルート番号２２Ａに対応した発信者番号２２Ｂをトランク対応発信者番号テーブル２２から読み出し（ステップＳ２９）、この読み出した発信者番号２２Ｂを、捕捉トランクを通じて着信転送先に通知すべく、ステップＳ２７に移行する。
【００６７】
図９に示す着信転送用発信者番号通知処理によれば、着信転送設定中の着信トランクへの外線着信を検出した場合、複数のトランクの内、着信転送の捕捉トランクを選択し、捕捉トランクが着信ルート対応の発信ルートの場合、トランク用発信テーブル２３のテーブル内容に基づき、捕捉トランクの発信ルート番号２３Ｂに対応した発信者番号２３Ｄを読み出し、この発信者番号２３Ｄを、捕捉トランクを通じて着信転送先に通知するようにしたので、着信トランクに応じて捕捉トランクを選択可能にすることで発信者番号を変更可能にし、捕捉トランクに対応した発信者番号でないことによる、例えば発信者番号通知の規制、さらには発信者番号に基づく発信規制を回避し、同捕捉トランクに対応した発信者番号の発信動作が可能になると共に、着信トランクの着信ルートに応じて同外線着信を転送する捕捉トランクの発信ルートを選択し、この発信ルートに対応した着信転送先への発信者番号を変更することができる。
【００６８】
着信転送用発信者番号通知処理によれば、着信転送設定中の着信トランクへの外線着信を検出した場合、複数のトランクの内、着信転送の捕捉トランクを選択し、捕捉トランクが着信ルート対応の発信ルートでない場合、トランク対応発信者番号テーブル２２のテーブル内容に基づき、捕捉トランクのルート番号２２Ａに対応する発信者番号２２Ｂを読み出し、この発信者番号２２Ｂを、捕捉トランクを通じて着信転送先に通知するようにしたので、着信ルートに関係なく、捕捉トランクを選択可能にすることで発信者番号を変更可能にし、捕捉トランクに対応した発信者番号でないことによる、例えば発信者番号通知の規制、さらには発信者番号に基づく発信規制を回避し、同捕捉トランクに対応した発信者番号の発信動作が可能になると共に、着信トランクの着信ルートに関係なく、同外線着信を転送する捕捉トランクの発信ルートを選択し、この発信ルートに対応した着信転送先への発信者番号を変更することができる。
【００６９】
図１０は不在転送設定中発信者番号通知処理に関わる電話交換装置１内部の動作を端的に示すブロック図、図１１乃至図１３は不在転送設定中発信者番号通知処理に関わるＣＣ１７内部の処理動作を示すフローチャートである。
【００７０】
図１０に示す不在転送設定中発信者番号通知処理は、不在転送設定中の内線ＴＥＬ２に対する外線着信を検出すると、複数のトランクの内、捕捉トランクを選択し、同捕捉トランクに対応した発信者番号を着信転送先に通知する処理である。
【００７１】
図１１において制御部３４は、通信制御部３２を通じて不在転送設定中の内線ＴＥＬ２への外線着信を検出したか否かを判定する（ステップＳ３１）。
【００７２】
制御部３４は、不在転送設定中の内線ＴＥＬ２への外線着信を検出した場合、同不在転送設定中の発信者番号通知条件が転送元ＴＥＬ対応であるか否かを判定する（ステップＳ３２）。
【００７３】
制御部３４内の発信ルート選択部３４Ａは、不在転送設定中の発信者番号通知条件が転送元ＴＥＬ対応の場合、複数のトランクの内、同外線着信を転送する着信転送の捕捉トランクを選択する（ステップＳ３３）。
【００７４】
発信ルート選択部３４Ａは、着信転送の捕捉トランクを選択した場合、捕捉トランクのルート番号を検出し（ステップＳ３４）、ＴＥＬ用発信テーブル２１のテーブル内容に基づき、捕捉トランクのルート番号が転送元ＴＥＬ２の端末番号２１Ａに対応した発信ルート番号２１Ｂ内にあるか否かを判定する（ステップＳ３５）。
【００７５】
発信ルート選択部３４Ａは、捕捉トランクのルート番号が転送元ＴＥＬ２の端末番号２１Ａに対応した発信ルート番号２１Ｂ内にある場合、捕捉トランクが転送元ＴＥＬ対応の発信ルートと判断する（ステップＳ３６）。
【００７６】
発信者番号通知部３４Ｂは、捕捉トランクが転送元ＴＥＬ対応の発信ルートの場合、捕捉トランクの発信ルート番号２１Ｂに対応した発信者番号２１ＤをＴＥＬ用発信テーブル２１から読み出し（ステップＳ３７）、図１２に示すＭ１に移行する。
【００７７】
また、制御部３４は、ステップＳ３１にて不在転送設定中の内線ＴＥＬ２への外線着信を検出しなかった場合、この処理動作を終了すべく、図１２に示すＭ４に移行する。
【００７８】
また、制御部３４は、ステップＳ３２にて不在転送設定中の内線ＴＥＬ２の発信者番号通知条件が転送元ＴＥＬ対応でない場合、着信ルート対応と判断すべく、図１３のＭ２に移行する。
【００７９】
また、発信ルート選択部３４Ａは、ステップＳ３５にて捕捉トランクのルート番号が転送元ＴＥＬ２の端末番号２１Ａに対応した発信ルート番号２１Ｂ内にない場合、捕捉トランクが転送元ＴＥＬ対応の発信ルートでないと判断する（ステップＳ３８）。
【００８０】
発信者番号通知部３４Ｂは、捕捉トランクが転送元ＴＥＬ対応の発信ルートでない場合、捕捉トランクのルート番号２２Ａに対応した発信者番号２２Ｂをトランク対応発信者番号テーブル２２から読み出し（ステップＳ３９）、図１２に示すＭ１に移行する。
【００８１】
図１２に示すＭ１にて発信者番号通知部３４Ｂは、図１１に示すステップＳ３７又はステップＳ３９の処理を経た後、発サブアドレス通知条件が転送元ＴＥＬ対応であるか否かを判定する（ステップＳ４１）。
【００８２】
発信者番号通知部３４Ｂは、発サブアドレス通知条件が転送元ＴＥＬ対応の場合、サブアドレス付加部３４Ｃを通じて転送元ＴＥＬ２の内線番号を発サブアドレスとして読み出し（ステップＳ４２）、ステップＳ３７又はステップＳ３９にて読み出した発信者番号に発サブアドレスを付加し、この発サブアドレスを付加した発信者番号を着信転送先に、捕捉トランクを通じて通知し（ステップＳ４３）、この処理動作を終了する。
【００８３】
また、発信者番号通知部３４Ｂは、ステップＳ４１にて発サブアドレス通知条件が転送元ＴＥＬ対応でない場合、発サブアドレス通知条件が着信ルート対応と判断し（ステップＳ４４）、サブアドレス付加部３４Ｃを通じて着信ルート対応の発サブアドレスを読み出し（ステップＳ４５）、この着信ルート対応の発サブアドレスを発信者番号に付加し、この発サブアドレスを付加した発信者番号を同着信転送先に通知すべく、ステップＳ４３に移行する。
【００８４】
また、図１３に示すＭ２においては、図１１に示すステップＳ３２にて不在転送設定中の内線ＴＥＬ２の発信者番号通知条件が転送元ＴＥＬ対応でない場合、発信者番号通知条件が着信ルート対応と判断する（ステップＳ５１）。
【００８５】
発信ルート選択部３４Ａは、発信者番号通知条件が着信ルート対応の場合、複数のトランクの内、着信転送の捕捉トランクを選択し（ステップＳ５２）、この捕捉トランクのルート番号を検出する（ステップＳ５３）。
【００８６】
発信ルート選択部３４Ａは、捕捉トランクのルート番号を検出すると、トランク用発信テーブル２３のテーブル内容に基づき、捕捉トランクのルート番号が着信トランクの着信ルート番号２３Ａに対応した発信ルート番号２３Ｂ内にあるか否かを判定する（ステップＳ５４）。
【００８７】
発信ルート選択部３４Ａは、捕捉トランクのルート番号が着信トランクの着信ルート番号２３Ａに対応した発信ルート番２３Ｂ号内にある場合、捕捉トランクが着信ルート対応の発信ルートと判断する（ステップＳ５５）。
【００８８】
発信者番号通知部３４Ｂは、捕捉トランクが着信ルート対応の発信ルートの場合、捕捉トランクの発信ルート番号２３Ｂに対応した発信者番号２３Ｄをトランク用発信テーブル２３から読み出し（ステップＳ５６）、発サブアドレス通知条件が転送元ＴＥＬ対応であるか否かを判定すべく、図１２に示すＭ３に移行する。
【００８９】
また、発信ルート選択部３４Ａは、ステップＳ５４にて捕捉トランクのルート番号が着信トランクの着信ルート番号２３Ａに対応した発信ルート番号２３Ｂ内にない場合、捕捉トランクが着信ルート対応の発信ルートではないと判断する（ステップＳ５７）。
【００９０】
発信者番号通知部３４Ｂは、捕捉トランクが着信ルート対応の発信ルートではない場合、捕捉トランクのルート番号２２Ａに対応した発信者番号２２Ｂをトランク対応発信者番号テーブル２２から読み出し（ステップＳ５８）、発サブアドレス通知条件が転送元ＴＥＬ対応であるか否かを判定すべく、図１２に示すＭ３に移行する。
【００９１】
図１１乃至図１３に示す不在転送設定中発信者番号通知処理によれば、不在転送設定中の内線ＴＥＬ２への外線着信を検出すると、発信者番号通知条件が転送元ＴＥＬ対応の場合、複数のトランクの内、転送元ＴＥＬ２に対応した着信転送の捕捉トランクを選択し、ＴＥＬ用発信テーブル２１のテーブル内容に基づき、この捕捉トランクの発信ルート番号２１Ｂに対応した発信者番号２１Ｄを読み出すと共に、発サブアドレス通知条件が転送元ＴＥＬ対応の場合、転送元ＴＥＬ２の内線番号をサブアドレスとして読み出し、この発サブアドレスを付加した発信者番号２１Ｄを着信転送先に通知するようにしたので、着信先側では、発信者番号に付加したサブアドレスに基づき、転送元ＴＥＬ２の内線番号を認識することができる。
【００９２】
また、不在転送設定中発信者番号通知処理によれば、不在転送設定中の内線ＴＥＬ２への外線着信を検出すると、発信者番号通知条件が着信ルート対応の場合、複数のトランクの内、着信トランクに対応した着信転送の捕捉トランクを選択し、トランク用発信テーブル２３のテーブル内容に基づき、この捕捉トランクの発信ルート番号２３Ｂに対応した発信者番号２３Ｄを読み出すと共に、発サブアドレス通知条件が着信ルート対応の場合、着信トランクの内線番号をサブアドレスとして読み出し、この発サブアドレスを付加した発信者番号２３Ｄを着信転送先に通知するようにしたので、着信先側では、発信者番号に付加したサブアドレスに基づき、着信トランクを認識することができる。
【００９３】
本実施の形態によれば、内線ＴＥＬ２の端末番号及び着信トランクの着信ルート番号毎に複数の発信ルートに関わるトランクに対応した発信者番号を発信ルート管理テーブル２０に管理し、複数のトランクの内、捕捉トランクを発信ルートとして選択すると、同捕捉トランクに対応する発信者番号を発信ルート管理テーブル２０から読み出し、この読み出した発信者番号を、選択した捕捉トランクを通じて相手先に通知するようにしたので、捕捉トランク（発信ルート）を選択可能にすることで発信者番号を変更可能にし、発信ルートに対応した発信者番号でないことによる、例えば発信者番号通知の規制、さらには発信者番号に基づく発信規制を回避し、同発信ルートに対応した発信者番号の発信動作が可能になる。
【００９４】
また、本実施の形態によれば、内線ＴＥＬ２の発信操作に応じて、複数のトランクの内、捕捉トランクを発信ルートとして選択するようにしたので、内線ＴＥＬ２の発信操作に応じて、捕捉トランクを発信ルートとして選択することで発信ルートを変更し、その結果、この発信ルートに対応した着信先への発信者番号を変更することができる。
【００９５】
また、本実施の形態によれば、複数のトランクの内、着信ルートに応じて同着信を転送するトランクを発信ルートとして選択するようにしたので、外線着信の着信トランクに応じて同外線着信を転送する捕捉トランクを発信ルートとして選択し、この発信ルートに対応した着信先への発信者番号を変更することができる。
【００９６】
また、本実施の形態によれば、内線ＴＥＬ２の不在転送設定中に同ＴＥＬ２の外線着信を不在転送する際、前記複数のトランクの内、同内線ＴＥＬ２の外線着信を不在転送するトランクを捕捉トランクとして選択するようにしたので、内線ＴＥＬ２の不在設定中に同内線ＴＥＬ２の外線着信を転送する場合でも、同内線ＴＥＬ２の外線着信を不在転送する捕捉トランクを発信ルートとして選択し、この発信ルートに対応した着信先への発信者番号を変更することができる。
【００９７】
また、本実施の形態によれば、発信ルートとして内線ＴＥＬ２の外線着信を不在転送する捕捉トランクを選択すると、同捕捉トランクに対応する発信者番号を発信ルート管理テーブル２０から読み出し、この読み出した発信者番号に同内線ＴＥＬ２の内線番号をサブアドレスとして付加し、この発サブアドレスを付加した発信者番号を、選択した捕捉トランクを通じて通知するようにしたので、着信転送先側では、発信者番号に付加した発サブアドレスに基づき、転送元の内線ＴＥＬ２の内線番号を認識することができる。
【産業上の利用可能性】
【００９８】
上記のように構成された本発明の電話交換装置によれば、通信経路毎に、例えば通信経路に対応した契約者番号の発信者情報を発信者情報管理手段に管理し、複数の通信経路の内、任意の通信経路を発信経路として選択すると、同通信経路に対応する発信者情報を発信者情報管理手段から読み出し、この読み出した発信者情報を、選択した発信経路を通じて通知するようにしたので、発信経路を選択可能にすることで発信者情報を変更可能にし、発信経路に対応した発信者情報でないことによる、例えば発信者番号通知の規制、さらには発信者番号に基づく発信規制を回避し、同発信経路に対応した発信者情報の発信動作が可能になる、複数の発信ルートを備えた電話交換装置に有用である。
【図面の簡単な説明】
【００９９】
【図１】本発明の実施の形態を示す電話交換装置内部の概略構成を示すブロック図である。
【図２】本実施の形態を示す電話交換装置内部の要部であるＭＭ及びＣＣ内部の概略構成を示すブロック図である。
【図３】本実施の形態に関わるＭＭ内部の発信ルート管理テーブルで管理するＴＥＬ用発信テーブルのテーブル内容を端的に示す説明図である。
【図４】本実施の形態に関わるＭＭ内部の発信ルート管理テーブルで管理するトランク対応発信者番号テーブルのテーブル内容を端的に示す説明図である。
【図５】本実施の形態に関わるＭＭ内部の発信ルート管理テーブルで管理するトランク用発信テーブルのテーブル内容を端的に示す説明図である。
【図６】本実施の形態の内線ＴＥＬ用発信者番号通知処理に関わる電話交換装置内部の動作を端的に示すブロック図である。
【図７】図６に示す内線ＴＥＬ用発信者番号通知処理に関わる電話交換装置内部のＣＣの処理動作を示すフローチャートである。
【図８】本実施の形態の着信転送用発信者番号通知処理に関わる電話交換装置内部の動作を端的に示すブロック図である。
【図９】図８に示す着信転送用発信者番号通知処理に関わる電話交換装置内部のＣＣの処理動作を示すフローチャートである。
【図１０】本実施の形態の不在転送設定中発信者番号通知処理に関わる電話交換装置内部の動作を端的に示すブロック図である。
【図１１】図１０に示す不在転送設定中発信者番号通知処理に関わる電話交換装置内部のＣＣの処理動作を示すフローチャートである。
【図１２】図１０に示す不在転送設定中発信者番号通知処理に関わる電話交換装置内部のＣＣの処理動作を示すフローチャートである。
【図１３】図１０に示す不在転送設定中発信者番号通知処理に関わる電話交換装置内部のＣＣの処理動作を示すフローチャートである。
【符号の説明】
【０１００】
１  電話交換装置
２  ＴＥＬ（内線端末）
１２  ＣＯＴ（通信経路）
１３  ＩＴＣ（通信経路）
２０  発信ルート管理テーブル（発信者情報管理手段）
３４Ａ  発信ルート選択部（発信経路選択手段）
３４Ｂ  発信者番号通知部（発信者情報通知手段）
３４Ｃ  サブアドレス付加部（発信者情報通知手段）
【図１】
2009111621.tif 000003
【図２】
2009111621.tif 000004
【図３】
2009111621.tif 000005
【図４】
2009111621.tif 000006
【図５】
2009111621.tif 000007
【図６】
2009111621.tif 000008
【図７】
2009111621.tif 000009
【図８】
2009111621.tif 000010
【図９】
2009111621.tif 000011
【図１０】
2009111621.tif 000012
【図１１】
2009111621.tif 000013
【図１２】
2009111621.tif 000014
【図１３】
2009111621.tif 000015